(57)【要約】本発明は、固定的に梱包することができるビンおよび缶用の完全閉鎖ラップアラウンドカートンを提供している。カートンは、底パネルから発散する三角パネルを下側部パネルの端部と各下端部フラップとの間に有する。頂部パネルから発散する１対の三角パネルが、傾斜上側部パネルと各上端部フラップとの間に設けられている。これらの三角パネルは、カートンをその内部に梱包されたボトルまたは缶に密接させる。
2004503443.tif 000002
【特許請求の範囲】
【請求項１】
複数の円筒形物品を収容するための完全閉鎖ラップアラウンドカートンであって、
（ａ）側部および端部を備えた底パネルを含み、該底パネルは、各側部で前記底パネルから垂直に立ち上がった下側部パネルにつながっており、該下側部パネルは、端部および上側部を有し、該上側部は、端部および側部を有する頂部パネルにつながった端部および頂縁部を有する傾斜上側部パネルにつながっており、さらに、
（ｂ）前記頂部パネルの端部に折り曲げ可能につながった頂端部フラップと、前記頂部パネル、前記傾斜上側部パネルおよび前記頂端部フラップの交点によって形成されたコーナーから発散する１対の三角パネルを介して前記傾斜上側部パネルの端部に折り曲げ可能につながった上端部フラップとによって形成されている、前記頂部パネルの各端部に隣接した頂端部蓋体を含み、前記フラップは、固定手段によって互いに固定されて前記蓋体を形成しており、さらに、
（ｅ）前記底パネルの端部に折り曲げ可能につながった底端部フラップと、前記底パネル、前記下側部パネルおよび前記底端部フラップの交点によって形成されたコーナーから発散する１対の三角パネルを介して前記下側部パネルの端部に折り曲げ可能につながった下端部フラップとによって形成されている、前記底パネルの各端部に隣接した底端部蓋体を含み、前記フラップは、固定手段によって互いに固定されて前記蓋体を形成しているカートン。
【請求項２】
前記固定手段は接着剤である請求項１のカートン。
【請求項３】
各下端部フラップは、隣接の上端部フラップに折り曲げ可能につながっている請求項１記載のカートン。
【請求項４】
前記上端部フラップを前記傾斜上側部パネルに接続する前記三角パネルは、下側部パネルおよび下端部フラップ間に折り曲げ可能につながった隣接の三角パネルに折り曲げ可能につながっている請求項３記載のカートン。
【請求項５】
前記底パネルは、一側部で糊代パネルにつながっており、該糊代パネルは下側部パネルに接着されている請求項２記載のカートン。
【請求項６】
前記頂部パネルの端部および側部間の距離は、前記底パネルの側部および端部間の距離より相当に小さい請求項１記載のカートン。
【請求項７】
（ａ）頂部、底および側部パネルを含み、各側部パネルは、端部、下部分および内向きに傾斜した上部分を有し、前記頂部、底および側部パネルが相互接続して管状構造体を形成し、前記頂部パネルは、端部を有すると共に矩形であり、頂端部フラップが前記頂部パネルの各端部に折り曲げ可能に結合されており、
（ｂ）前記底パネルは、端部を有すると共に、前記頂部パネルより相当に大きい寸法の矩形であり、端部フラップが各側部パネルの各部分の各端部に折り曲げ可能に結合されており、１対の三角コーナパネルが各端部フラップおよび側部パネル間に設けられて、前記側部パネルの前記上部分に隣接した前記三角コーナーパネルは前記頂部パネルから発散し、前記下部分に隣接した前記三角パネルは前記底パネルから発散して、ビンを締め付け状態に把持できるようにしており、
（ｃ）底端部パネルが、前記底パネルの各端部につながって、前記側部パネルの前記下部分につながった前記端部フラップに重なった状態で固定されており、前記頂端部パネルは、前記側部パネルの前記上部分につながった前記端部フラップに重なった状態で固定されているビンカートン。
【請求項８】
前記固定手段は接着剤である請求項７のカートン。
【発明の詳細な説明】
【０００１】
１．発明の分野
本発明は、ビンおよび缶用の完全閉鎖ラップアラウンドカートンに関する。それは、底パネルから発散する１対の三角パネルを下側部パネルの端部と各下端部フラップとの間に有する。同様に、頂部パネルから発散する１対の三角パネルが、傾斜上側部パネルと各上端部フラップとの間に設けられている。これらの三角パネルは、カートンをその内部に梱包されたボトルまたは缶に密接させるのに役立つ。
【０００２】
２．発明の背景
ウッド（Ｗｏｏｄ）の米国特許第４，７４７，４８７号は、各端部の下部分が閉鎖されている管状カートンを開示している。各下端部パネルと側壁との間に折り線が設けられている。各側壁および各端部パネルの下コーナーから上向きに発散して延びる折り線（ｃｒｅａｓｅ ｌｉｎｅ）が設けられている。このため、下側部パネルおよび下端部パネル間のコーナーに三角パネルが形成され、これは下側壁および下端部壁パネルの平面の中間にある。
【０００３】
スタウト（Ｓｔｏｕｔ）他の米国特許第５，１９７，５９８号は、さらに、頂部パネルから下側部壁まで外向きに発散する三角パネルを上側部壁および上端部壁間に有する点を除いてウッド特許のカートンと同様である完全閉鎖カートンを開示している。この構造体は、ビンをカートン内に締め付けた状態に保持するのに役立つ。同様な三角パネル組を有するカートンが、ヨーロッパ特許出願公報第０，０４４，１６９号に開示されている。
【０００４】
カートンが直角のコーナーを有するために、円筒形の形状の缶またはビンの周りに完全閉鎖ラップアラウンドカートンを締め付けることが困難であった。これらのカートンをそれに収容した缶またはボトルの周囲に締め付ける方法が発見できれば望ましいであろう。
【０００５】
［発明の概要］
本発明の目的は、缶やビンなどの円筒形の物品を収容するための完全閉鎖ラップアラウンドカートンを締め付ける方法を見つけることである。
【０００６】
本発明の目的は、傾斜上側部パネルおよび各上端部フラップ間に１対の三角パネルを有する完全閉鎖ラップアラウンドカートンで達成された。これらのパネルは、頂端部フラップ、頂部パネルおよび傾斜上側部パネル間の交点から発散している。底パネル、底端部フラップおよび下側部パネル間の交点から発散する１対の三角パネルが、下側部パネルと各下端部フラップとの間に設けられている。カートンを組み立てて、端部を接着してから積み込んだ時、これらの三角パネルが折れ曲がって、カートンの下側部パネルおよび各下端部フラップ間の各コーナーを基本的に二等分する個別の平面をなす。ビンのネックより大きい中間部分の胴回りを収容するために、これらの三角パネルは、下側部パネルおよび傾斜上側部パネル間の交点で広くなっている。
【０００７】
本発明のこれらおよび他の目的、特徴および利点は、添付の図面を参照するとともに以下の詳細な説明を読むことにより、より明らかになろう。
【０００８】
［好適な実施形態の詳細な説明］
本発明は主に、複数のビンまたは缶を運搬するためのラップアラウンドカートンであることを意図している。このカートンは、板紙から切り取ったブランクなどの１枚の折り曲げ可能な材料から形成することができる。ブランクのレイアウトは基本的に矩形であり、その結果、使用する板紙の量が節約される。
【０００９】
図１を参照すると、本発明のカートンは、ブランク１０から形成することができる。ブランクは、内面（図示せず）と図１に示された外面とを有しており、外面は印刷およびディスプレー用に上塗りしてもよい。カートンは、底パネル１２を有し、これは折り線１６で糊代パネル１４につながっている。底端部フラップ１８が折り線２０で底パネル１２の一端部につながっており、底端部フラップ２２が折り線２４で底パネル１２の他端部につながっている。下側部パネル２６が折り線２８で底パネル１２の一方側につながっている。下側部パネル（底部分）２６は、一端部が折り線９０で三角パネル９２に折り曲げ可能につながっており、三角パネル９２は折り線９４で三角パネル９６につながり、この三角パネル９６は折り線９８で下端部フラップ３０に折り曲げ可能につながっている。これらの三角パネルのすべての外側が、下側部パネル２６、底パネル１２および底端部フラップ１８の交点に形成されるコーナーから発散する折り線９０および９８によって形成されていることがわかるであろう。下側部パネル２６は、他端部が三角パネル１０２および１０６によって下端部フラップ３４につながっている。
【００１０】
傾斜上側部パネル（上部分）３８が、折り線３６で下側部パネル２６につながっている。傾斜上側部パネル３８は、一端部が折り線１１０で三角パネル１１２につながっており、三角パネル１１２は折り線１１４で三角パネル１１６につながり、三角パネル１１６は折り線１１８で上端部フラップ４０につながっている。三角パネル１１２および１１６は、傾斜上側部パネル３８、頂部パネル５０および頂端部フラップ６２の間に形成された交点から発散している。これらの三角パネルは、下側部パネル２６および下端部パネル３０間の三角パネルと逆の方向に発散していることがわかるであろう。上端部フラップ４４が、三角パネル１２２および１２６によって傾斜上側部パネル３８につながっている。
【００１１】
上側部パネル３８は、一方側が折り線５２で頂部パネル５０につながっている。頂部パネル５０は、カートンを運搬するための２つの指穴５４および５６を有する。頂部パネル５０の端部は、それぞれ折り線６０および６４で頂端部フラップ５８および６２につながっている。頂部パネル５０は、折り線６８で傾斜上側部パネル６６につながっている。傾斜上側部パネル６６の端部は、それぞれ三角パネル１３２、１３６、１４２および１４６によって上端部フラップ７０および７４につながっている。上側部パネル６６は、折り線７６で下側部パネル７８につながっている。下側部パネル７８の端部は、それぞれ三角パネル１５２、１５６、１６２および１６６によって下端部フラップ８０および８４につながっている。
【００１２】
カートンの形成および積み込み
ブランク１０は、糊代パネル１４を下側部パネル７８の糊付け領域Ｇに接着することによって、積み込み用のスリーブに形成することができる。その時、図２に示されているようにボトルＢを梱包機械によって滑り込ませることができるスリーブを形成するように、ブランク１０をうまく処理することができる。下端部フラップ３０および８０と上端部フラップ４０および７０とを内向きに折り曲げることによって、カートンのこの端部を閉鎖することができる。頂端部フラップ６２を下向きに折り曲げ、底端部フラップ１８を上向きに折り曲げてから、下端部フラップ３０および８０と上端部フラップ４０および７０とに接着する。カートンの他端部も同時に閉鎖することによって、きっちり締まったパッケージを形成することができる。その結果、図３に示されているカートンが得られる。
【００１３】
本発明のカートンの固有の特徴
本発明のカートンは、ビンの胴部より小径のネックを有するビンの梱包に役立つ。好ましくは、本発明のカートンは、そのようなビンを梱包するために、端部（折り線６０および６４）間の距離が底パネル１２の端部（折り線２０、２４）間の距離より相当に短い頂部パネル５０を有する。また、頂部パネル５０の側部（折り線５２および６８）間の距離も、底パネル１２の側部（折り線１６および２８）間の距離より相当に短い。このことは、傾斜上側部パネル３８および６６が頂部パネル５０の方へ内向きに傾斜していることを意味する。したがって、側部および端部が頂部パネル５０の方へ内向きに傾斜しているため、ビンがカートン内によりきっちりと梱包される。
【００１４】
傾斜上側部壁および上端部フラップ間と共に下側部パネルおよび下端部フラップ間に三角コーナーパネルを設けることによって、形成された各コーナーに隣接したビンとの接触性を高めることができる。これによって、コーナー内の空隙の量が減少する結果、緩みのない梱包が得られる。傾斜上側部壁および上端部フラップ間の三角パネル（たとえば、三角パネル１１２、１１６）は、頂部パネル、傾斜上側部壁および上端部フラップの交点から発散している。隣接したビンの中間部分の大きい直径を収容するために、三角パネルは、下側部パネル２６、７８および上側部パネル３８、６６間の折り線３６、７６付近で幅広になっている必要がある。三角パネルは、ビンのネックが位置する上部パネル５０付近で幅がはるかに狭くなっている。下側部パネルおよび下端部フラップ間の三角パネル（たとえば、９２、９６）は、底パネル、下側部パネルおよび底端部フラップの交点から発散しているので、それらは傾斜上側部パネルおよび上端部フラップ間の三角パネル１１２および１１６の折り線と折り線３６の位置またはその付近で合流する。ビンの底は一般的に中間部分と同一の直径を有するが、底パネルが頂部パネルより大きいと共に底パネル付近で三角パネル９２および９６の幅が狭くなっている結果、ビンの底が固定的に保持される。三角形の組み合わせ（たとえば、９２、９６、１１２および１１６）のダイヤモンド形構造により、板紙を束ねることなくカートンを折り曲げて閉鎖することができ、カートンの締め付けが確保される。
【００１５】
本発明は好適な形態で開示されているけれども、本発明の精神および範囲ならびに添付の請求の範囲に記載された均等物から離脱することなく多くの修正、付加および削除が成され得ることは当業者に明らかであろう。
【図面の簡単な説明】
【図１】本発明のカートンを形成するためのブランクの平面図である。
【図２】端部フラップを開き、点線のビン群を一端部から出した状態にあるカートンの斜視図である。
【図３】すべてのフラップを閉じて接着し、ボトルを内部に固定した状態にある完成したカートンの斜視図である。
【図１】
2004503443.tif 000003
【図２】
2004503443.tif 000004
【図３】
2004503443.tif 000005
【国際公開パンフレット】
2004503443.tif 000006
2004503443.tif 000007
2004503443.tif 000008
2004503443.tif 000009
2004503443.tif 000010
2004503443.tif 000011
2004503443.tif 000012
2004503443.tif 000013
2004503443.tif 000014
【国際調査報告】
2004503443.tif 000015